(57)【要約】【課題】受信機の移動による受信地域の変化や、放送局数の変化による受信可能チャンネルの変化に対応して、受信可能なチャンネルを最新の状態に更新することの出来る地上デジタル放送受信機を提供することにある。【解決手段】地上デジタル放送の放送信号を受信し、携帯情報端末、車載テレビジョン受信装置に搭載させた地上デジタル放送受信機であって、前記放送信号を受信する第１受信手段と、前記第１受信手段によって受信された放送信号を処理して表示部に出力する信号処理手段と、前記放送信号を受信する第２受信手段と、前記放送信号を全周波数でスキャンし、各周波数の受信強度を検出するように前記第２受信手段を制御し、前記受信強度が閾値以上であるか否かを比較し、受信可能なチャンネルリストを作成し、前記リストを使用して前記第１受信手段に前記放送信号をスキャンさせ、前記リストの内容が変化した場合に、前記変化後のリストを使用して、再び前記第１受信手段にチャンネルのスキャンを実行させる制御手段と、を備えることを特徴とする地上デジタル放送受信機。【選択図】      図３
2006013945.tif 000002
【特許請求の範囲】
【請求項１】
地上デジタル放送の放送信号を受信し、携帯情報端末、車載テレビジョン受信装置に搭載させた地上デジタル放送受信機であって、
前記放送信号を受信する第１受信手段と、
前記第１受信手段によって受信された放送信号を処理して表示部に出力する信号処理手段と、
前記放送信号を受信する第２受信手段と、
前記放送信号を全周波数でスキャンし、各周波数の受信強度を検出するように前記第２受信手段を制御し、前記受信強度が閾値以上であるか否かを比較し、受信可能なチャンネルリストを作成し、前記リストを使用して前記第１受信手段に前記放送信号をスキャンさせ、前記リストの内容が変化した場合に、前記変化後のリストを使用して、再び前記第１受信手段にチャンネルのスキャンを実行させる制御手段と、を備えることを特徴とする地上デジタル放送受信機。
【請求項２】
地上デジタル放送の放送信号を受信する地上デジタル放送受信機であって、
前記放送信号を受信する第１受信手段と、
前記第１受信手段によって受信された放送信号を処理して表示部に出力する信号処理手段と、
前記放送信号を受信する第２受信手段と、
前記放送信号を全周波数でスキャンし、各周波数の受信強度を検出するように前記第２受信手段を制御し、前記受信強度が閾値以上であるか否かを判断し、受信可能なチャンネルリストを作成し、前記リストを使用して前記第１受信手段に前記放送信号をスキャンさせる制御手段と、を備えることを特徴とする地上デジタル放送受信機。
【請求項３】
前記制御手段は、前記リストの内容が変化した場合に、前記変化後のリストを使用して、前記第１受信手段にチャンネルのスキャンを実行させることを特徴とする、請求項２に記載の地上デジタル放送受信機。
【請求項４】
携帯情報端末、車載テレビジョン受信装置に搭載されていることを特徴とする、請求項２乃至３の何れか一つに記載の地上デジタル放送受信機。
【請求項５】
前記制御手段は、前記第２受信手段を停止させて、前記地上デジタル放送受信機を省電力モードで動作させ、前記第２受信手段の停止中に、前記信号処理手段で検出されるＣＮ比またはビットエラーレートを前記第１受信手段から取得し、前記受信ＣＮ比またはビットエラーレートが閾値以下に低下した場合に、前記第２受信手段を動作させて、前記放送信号の全周波数でのスキャンを実行させることを特徴とする、請求項２乃至４の何れか一つに記載の地上デジタル放送受信機。
【発明の詳細な説明】
【技術分野】
【０００１】
本発明は、地上デジタル放送受信機、特に、受信可能なチャンネルが変更された場合に、受信可能なチャンネルの周波数を自動的にスキャンする地上デジタル放送受信機に関する。
【背景技術】
【０００２】
テレビジョン受信機を携帯情報端末等に搭載した場合、ユーザが移動すると、テレビ放送の受信地域が変更され、受信可能なチャンネルが変化する。このため、ユーザはこうした受信可能なチャンネルの変化に対応するために、再びチャンネルをスキャンして、チャンネルの設定を変更する必要が生じる。従来、こうしたチャンネルの再スキャンは、ユーザによる手動で行なわれており、非常に煩わしいものであった。この問題を解決する為に、チャンネルの再スキャンを自動的に行うテレビジョン受信機、又は該テレビジョン受信機を搭載した装置が提案されている。
【０００３】
例えば、特許文献１には、テレビジョン受信機を搭載した携帯端末装置が記載されている。この携帯端末装置は、地域毎に地域コードと受信可能なチャンネルを記憶しておき、ユーザの移動により受信地域が変更されると、基地局から送信される位置情報に基づいて現在位置に於ける受信可能なチャンネルを画面表示する。
【０００４】
また、特許文献２には、放送受信装置を搭載した携帯端末装置が記載されている。この携帯端末装置は、所定時間毎に地域識別情報を受信し、ユーザの移動に伴い放送局のサービスエリアが変更されると、基地局から地域識別情報を受信し、この情報を予め記憶した地域識別情報と比較して、移動前と移動後の地域識別情報を比較する。両者の情報が同一であれば、移動前のチャンネル設定情報を保持し、同一でなければ、移動後の地域識別情報を記憶し、予めメモリに記憶された地域識別情報に対応するチャンネル情報を読み出して、チャンネル設定を変更する。
【０００５】
そして、特許文献３には、車載テレビジョン装置について記載されている。この車載装置では、初期の電源投入時に、全テレビ放送用周波数帯域におけるチャンネル割り当てをＲＯＭから読み出し、各チャンネルに同調周波数の割り当てがあるか否かを判断する。そして、該同調周波数が割り当てられたチャンネルを抽出し、ＲＡＭにチャンネルプランとして書き込む。そして、以後の電源投入時に、該同調周波数が割り当てられたチャンネルについて、チャンネル番号順に対応する同調周波数で放送信号を受信させるセルフチェックモードがセットされている場合については、３つ以上のチャンネルについて同調周波数が割り当てられていない場合、全テレビ放送周波数帯域におけるチャンネル割り当てをＲＯＭから読み出して、各チャンネルに対応する同調周波数で放送信号を受信し、該同調周波数が割り当てられたチャンネルを抽出し、ＲＡＭに記憶されたチャンネルプランを上書きする。
【０００６】
また、特許文献４には、テレビジョン放送受信装置を内蔵した情報処理装置が記載されている。この情報処理装置は、テレビ放送電波を直接受信するテレビジョン受信部と、無線携帯電話等を利用した通信部を備えており、受信状態に応じてテレビジョン受信部または通信部の何れかでテレビ放送を受信することが可能である。
【特許文献１】特開２００３−３０９７７４号公報
【特許文献２】特開２００３−１７４３７６号公報
【特許文献３】特開２００２−１７６５９１号公報
【特許文献４】特開２００３−６９９１０号公報
【発明の開示】
【発明が解決しようとする課題】
【０００７】
上述の通り、特許文献１に記載の携帯端末装置では、予め記憶された地域ごとの地域コードと受信可能なチャンネルに基づいて、チャンネル設定の変更を行うので、記憶された情報の更新を行わなければ、最新の受信可能チャンネルに対応することが出来ないという問題がある。特許文献２に記載の携帯端末装置に関しても、予め記憶されたチャンネル情報に基づいて、チャンネル設定を行うので、チャンネル情報を更新しなければ、最新の受信可能チャンネルに対応することは出来ないという問題がある。また、特許文献３に記載の車載テレビジョン装置では、受信地域の変更に伴って、受信可能なチャンネルのリストを書き換えることが出来るが、受信地域の変更を認識できるのは、装置の電源投入時であって、電源が入った状態で受信地域を移動する移動体端末等に搭載される場合には、チャンネルのリストを書き換えることが不可能である。そして、特許文献４に記載の情報処理装置では、放送電波を直接的に受信する受信部と、間接的に受信する受信部とを、受信状態に応じて切り換えて使用することが出来るが、受信可能な放送局の変更に対してどのように対応するかについては、扱われていない。
【０００８】
したがって、本発明の目的は、受信機の移動による受信地域の変化や、放送局数の変化による受信可能チャンネルの変化に対応して、受信可能なチャンネルを最新の状態に更新することの出来る地上デジタル放送受信機を提供することにある。
【課題を解決するための手段】
【０００９】
第１発明に係る地上デジタル放送受信機は、地上デジタル放送の放送信号を受信し、携帯情報端末、車載テレビジョン受信装置に搭載させた地上デジタル放送受信機であって、
放送信号を受信する第１受信手段と、第１受信手段によって受信された放送信号を処理して表示部に出力する信号処理手段と、放送信号を受信する第２受信手段と、放送信号を全周波数でスキャンし、各周波数の受信強度を検出するように第２受信手段を制御し、受信強度が閾値以上であるか否かを比較し、受信可能なチャンネルリストを作成し、該リストを使用して第１受信手段に放送信号をスキャンさせ、該リストの内容が変化した場合に、変化後のリストを使用して、再び第１受信手段にチャンネルのスキャンを実行させる制御手段とを備えることを特徴とする。
【００１０】
この地上デジタル放送受信機は、第１受信手段と第２受信手段の２つの受信手段を備えており、信号処理手段を介して表示部に放送信号を出力する第１受信手段とは別に、受信強度を検出する第２受信手段を備える構成としている。そして、制御部によって、第２受信手段は放送信号を全周波数でスキャンし、各周波数の受信強度を検出するよう制御され、第１受信手段は、検出された受信強度の中から閾値以上の受信可能なチャンネルのみをスキャするよう制御される。したがって、役割の異なる２つの受信手段を同時並行的に動作させることが可能であり、閾値以上の受信強度の放送信号のみを第１受信手段でスキャンすることが出来るので、一つの受信手段のみを備える地上デジタル放送受信機に比して、効率的にチャンネルスキャンを行うことが出来る。また、第２受信手段は受信強度を検出する処理のみを行うので、回路構成は簡単で高速処理が可能である。したがって、結果的に一連のチャンネルスキャンを高速に行う一助となる。
【００１１】
また、地上デジタル放送の受信中に、ユーザの移動により受信可能なチャンネルリストの内容が変化した場合、受信可能なチャンネルを自動的にスキャンして、該リストを常に最新の状態に更新することが出来る。さらに、制御部は第２受信手段で検出された受信強度に基づいて、チャンネルリストを作成し、該リスト内容の変化を監視するが、第２受信手段では受信強度のみを検出しているので、複雑な信号処理を行うことなく受信可能なチャンネルを監視することが可能となる。
【００１２】
第２発明に係る地上デジタル放送受信機は、地上デジタル放送の放送信号を受信する地上デジタル放送受信機であって、放送信号を受信する第１受信手段と、第１受信手段によって受信された放送信号を処理して表示部に出力する信号処理手段と、放送信号を受信する第２受信手段と、放送信号を全周波数でスキャンし、各周波数の受信強度を検出するように第２受信手段を制御し、受信強度が閾値以上であるか否かを判断し、受信可能なチャンネルリストを作成し、該リストを使用して第１受信手段に放送信号をスキャンさせる制御手段と、を備えることを特徴とする。
【００１３】
この地上デジタル放送受信機は、第１受信手段と第２受信手段の２つの受信手段を備えており、信号処理手段を介して表示部に放送信号を出力する第１受信手段とは別に、受信強度を検出する第２受信手段を備える構成としている。そして、制御部によって、第２受信手段は放送信号を全周波数でスキャンし、各周波数の受信強度を検出するよう制御され、第１受信手段は、検出された受信強度の中から閾値以上の受信可能なチャンネルのみをスキャするよう制御される。したがって、役割の異なる２つの受信手段を同時並行的に動作させることが可能であり、閾値以上の受信強度の放送信号のみを第１受信手段でスキャンすることが出来るので、一つの受信手段のみを備える地上デジタル放送受信機に比して、効率的にチャンネルスキャンを行うことが出来る。また、第２受信手段は受信強度を検出する処理のみを行うので、回路構成は簡単で高速処理が可能である。したがって、結果的に一連のチャンネルスキャンを高速に行う一助となる。
【００１４】
第３発明に係る地上デジタル放送受信機は、第２発明に係る地上デジタル放送受信機において、制御手段が、受信強度のリストの内容が変化した場合に、変化後のリストを使用して、第１受信手段にチャンネルのスキャンを実行させることを特徴とする。
【００１５】
この地上デジタル放送受信機によれば、例えばユーザの引越し等によって、受信機の所在地が変更された場合や、受信機の所在地に変更はないが、新たに放送局が開局した場合等、受信可能なチャンネルの変化に対応して、受信可能なチャンネルリストを常に最新の状態に更新することができ、受信可能なチャンネルのスキャンを自動的に行うことが出来る。また、この構成によれば、制御部は第２受信手段で検出された受信強度に基づいて、チャンネルリストを作成し、該リストの変化を監視するが、第２受信手段では受信強度のみを検出しているので、複雑な信号処理を行うことなく受信可能なチャンネルを監視することが可能となる。
【００１６】
第４発明に係る地上波デジタル放送受信機は、第２乃至第３発明の何れかに係る地上波デジタル放送受信機において、携帯情報端末、車載テレビジョン受信装置に搭載させることを特徴とする。
【００１７】
この地上波デジタル放送受信機によれば、該放送受信機が、携帯電話、ＰＨＳ（Personal   Handyphone  System）、ノートパソコン、ＰＤＡ（Personal  Digital  Assistants）等の携帯情報端末装置や、車載テレビジョン受信装置に搭載された場合、地上デジタル放送の受信中に、ユーザの移動により受信可能なチャンネルリストの内容が変化した場合にも、受信可能なチャンネルを自動的にスキャンして、該リストを更新することが可能となる。
【００１８】
第５発明に係る地上波デジタル放送受信機は、第２乃至第４発明の何れかに係る地上波デジタル放送受信機において、制御手段が第２受信手段を停止させ、地上デジタル放送受信機を省電力モードで動作させ、第２受信手段の停止中に、信号処理手段で検出されるＣＮ比またはビットエラーレートを第１受信手段から取得し、これらの値が閾値以下に低下した場合に、第２受信手段を動作させて、放送信号の全周波数でのスキャンを実行させることを特徴とする。
【００１９】
携帯情報端末等では消費電力を低減する省電力モードで動作することも必要であるが、
この地上デジタル放送受信機によれば、省電力モードに切り換えて第２受信手段を停止した場合に於いても、制御部が信号処理手段で検出したＣＮ比またはビットエラーレートを第１受信手段から取得することができ、これらの値が閾値よりも低下した場合には、第２受信手段を再び動作させて、全周波数をスキャンさせて受信可能なチャンネルリストを更新することが出来る。したがって、省電力モードによって消費電力を抑えることが出来るだけでなく、省電力モード時に受信可能なチャンネルが変化した状況にも対応することが可能となる。
【発明の効果】
【００２０】
本発明によれば、受信機の移動による受信地域の変化や、放送局数の変化による受信可能チャンネルの変化に対応して、受信可能なチャンネルを最新の状態に更新することが出来る。
【発明を実施するための最良の形態】
【００２１】
（１）第１実施形態
[構成]
図１は、本発明の一実施形態に係る地上デジタル放送受信機の概略構成図である。この地上デジタル放送受信機１は、アンテナ２と、アンプ３と、メインチューナ部１８と、サブチューナ部１９と、制御部１３と、信号処理部２０と、操作部１７とを備える。
【００２２】
アンテナ２は地上デジタルテレビジョン放送の放送電波を受信し、電気信号である放送信号に変換する。アンプ３はこの電気信号を増幅し、メインチューナ部１８に出力する。
【００２３】
メインチューナ部１８は、フィルタ４、混合器５、ＰＬＬ６、アンプ７、フィルタ８によって構成される。メインチューナ部１８に於いて、フィルタ４は制御部１３で設定された選局チャンネルの周波数の放送信号を通過させて、混合器５に出力する。ＰＬＬ６は、選局チャンネルに対応する分周比が制御部１３から入力され、選局チャンネルに対応する局部発振信号を混合器５に出力する。混合器５は、フィルタ４からの放送信号とＰＬＬ６からの局部発振信号を混合し、中間周波数をアンプ７に出力する。アンプ７は、混合器５からの中間周波数信号の内、選局チャンネルに対応する中間周波数信号を増幅して、フィルタ８に出力する。フィルタ８は、混合器５からの中間周波数信号の余分な信号成分を除去して、信号処理部２０に出力する。
【００２４】
信号処理部２０は、復調ＩＣ１４、ＭＰＥＧデコーダ１５、Ｄ／Ａコンバータ１６によって構成される。復調ＩＣ１４は、メインチューナ部１８からの信号を復調して、ＭＰＥＧデコーダ１５に出力する。ＭＰＥＧデコーダ１５は、復調ＩＣ１４からの信号をデコードし、Ｄ／Ａコンバータ１６に出力する。Ｄ／Ａコンバータ１６は、デジタル信号をアナログ信号に変換して、表示部に出力する。
【００２５】
サブチューナ部１９は、混合器９、ＰＬＬ１０、アンプ１１、レベル検波部１２によって構成される。サブチューナ部１９に於いて、ＰＬＬ１０は、選局チャンネルに対応する分周比が制御部１３から入力され、選局チャンネルに対応する局部発振信号を混合器９に出力する。混合器９は、アンプ３から出力された放送信号と、ＰＬＬ１０からの局部発振信号を混合し、中間周波数をアンプ１１に出力する。アンプ１１は、混合器９からの中間周波数信号の内、選局チャンネルに対応する中間周波数信号を増幅して、レベル検波部１２に出力する。レベル検波部１２は、混合器９からの中間周波数信号の受信強度を検出し、制御部１３に出力する。
【００２６】
操作部１７は、ユーザからの入力を受付け、入力結果を制御部１３に出力する。
【００２７】
制御部１３は、操作部１７からの信号を受け、メインチューナ部１８及びサブチューナ部１９を制御する。また、制御部１３は、サブチューナ部１９からの信号を処理し、この
結果に基づいて、メインチューナ部１８を制御する。
【００２８】
[地上波デジタル放送のチャンネルスキャン]  
図３は、本発明の第１実施形態に係る地上デジタル放送受信機１で実行されるチャンネルスキャンのフローチャートであり、図３の処理は制御部１３の命令に従って実行される。
【００２９】
本実施形態の地上デジタル放送受信機は、車載テレビジョン受信装置に搭載された地上デジタル放送受信機であって、この地上デジタル放送受信機に於いて、アンテナ２が地上テレビジョン放送の放送信号を受信すると、制御部１３は、サブチューナ部１９を制御し、放送信号を全周波数でスキャンさせ、各周波数の受信強度を検出させる（Ｓ２０）。この検出された受信強度の内、受信強度が閾値以上のチャンネルリストを作成する（Ｓ２１）。この受信強度の閾値に関しては、実験により得られた特定の値を使用するものとし、受信可能なチャンネルリストは、図２（ｂ）に掲載されている内容と同等のリストを作成する。そして、この受信可能なチャンネルリストが既に制御部１３の記憶部（図示せず）に記憶されているか否かを判断し（Ｓ２２）、今回初めてチャンネルリストが作成された場合、該チャンネルリストを記憶部に記憶し、メインチューナ部１８を制御して、該チャンネルリストに該当するチャンネルのみをスキャンさせる（Ｓ２３）。反対に受信可能なチャンネルリストが既に記憶されている場合には、既に存在するチャンネルリストと、新たに作成されたチャンネルリストの内容が同一か否かを判断する（Ｓ２４）。具体的には、受信可能なチャンネルの組み合わせが変化した場合や、受信可能なチャンネルの組み合わせは同一であるが、受信レベルが予め設定された範囲以上に変化した場合等をチャンネルリストの内容変化として想定することが出来る。そして、両チャンネルリストの内容が同一であれば、図３に図示されたステップ２０（Ｓ２０）に戻る。また、両チャンネルリストの内容が同一ではない場合、新たに作成したチャンネルリストを記憶部に記憶することによってチャンネルリストの内容を更新し、該チャンネルリストの内容に基づいて、メインチューナ部１８にチャンネルスのキャンを実行させる（Ｓ２５）。そして、図３に図示されたステップ２０（Ｓ２０）に戻る。
【００３０】
[作用効果]
本実施形態に係る地上デジタル放送受信機は、メインチューナ部１８及びサブチューナ部１９の２つのチューナを備えており、信号処理部２０を介して表示部に放送信号を出力するメインチューナ１８とは別に、受信強度を検出するサブチューナ部１９を備えている。制御部１３は、サブチューナ部１９を制御することにより、放送信号を全周波数でスキャンさせ、各周波数の受信強度を検出して制御部１３に出力させて、この受信強度の中で閾値以上の受信可能なチャンネルのみをスキャンするようにメインチューナ部１８を制御する。したがって、役割の異なる２つのチューナ部を同時並行的に動作させることが可能であり、また、閾値以上の受信強度を持つ放送信号のみをメインチューナ部１８でスキャンさせることが出来るので、チューナ部を一つだけ設けているデジタル放送受信機と比較すると、効率的にチャンネルスキャンを実施することが出来る。また、サブチューナ部は受信強度を検出するだけであるので、簡単な回路構成で高速処理が可能である。したがって、このことは、一連のチャンネルスキャンを高速に実行することに役立つ。
【００３１】
さらに、本実施形態に係る地上デジタル放送受信機では、制御部１３が第２受信手段で検出された受信強度に基づいてチャンネルリストを作成し、該リスト内容の変化を監視しており、地上デジタル放送を受信中にユーザが移動して、受信可能なチャンネルリストの内容が変化した場合に、受信可能なチャンネルを自動的にスキャンして、該リストを常に最新の状態に更新することが出来る。また、サブチューナ部１９は受信強度のみを検出しているので、制御部は複雑な信号処理を行うことなく受信可能なチャンネルを監視することが出来る。
（２）第２実施形態
[構成]
第２実施形態の構成については、操作部１７以外の構成は前述の第１実施形態の構成と同一であるので、同一の部分に関しては説明を省略する。第２実施形態において、操作部１７は省電力モードの入力を受け付けると、制御部１３を制御して、省電力モードを作動させる。
【００３２】
[省電力モード時のチャンネルスキャン]
図４は、第２実施形態の地上デジタル放送受信機１で実行される省電力モードに於けるチャンネルスキャンのフローチャートであり、図４の処理は制御部１３の命令に従って実行される。また、図４におけるステップ２０乃至２５の処理は、図３に記載されているチャンネルスキャンと同一の処理内容であるので、ここでは説明を省略する。従って、以下、省電力モードの切り換えに関するステップ（Ｓ２６）から説明をする。
【００３３】
本実施形態では、ユーザが操作部１７に省電力モードへの切り換えを実行するための入力行う（Ｓ２６）。ユーザによる省電力モードへの切り換えが行われなかった場合、図４のＳＴＡＲＴに戻る。これとは反対に、ユーザが省電力モードへの切り換えを操作部１７への入力によって実行した場合、制御部は操作部１７からの出力を受けて、サブチューナ部１９の動作を停止する（Ｓ２６）。制御部１３は、メインチューナ部１８を制御して、各放送信号のＣＮ比またはビットエラーレートを検出させる（Ｓ２８）。そして、制御部は、このＣＮ比またはビットエラーレートが閾値以下か否かを判断し（Ｓ２９）、閾値以上であれば、図４のＳＴＡＲＴにステップを戻り、閾値以下であれば、サブチューナ部１９の動作を復帰させる（Ｓ３０）。そして、サブチューナ部１９を再作動させることによって、図３に記載のチャンネルスキャンを実行する。なお、上記手法は一例に過ぎない為、省電力モードの作動によるサブチューナ部１９の動作停止（Ｓ２６）をユーザによる選択ではなく、一定条件に基づいて自動的に行う構成としても良い。
【００３４】
[作用効果]
本実施形態では、ユーザの必要に応じて、サブチューナ部１９の動作を停止させ、省電力モードに切り換えることが出来る。該省電力モードへの切り換えにより、サブチューナ部１９を停止した場合に於いても、制御部は信号処理部２０で検出されたＣＮ比またはビットエラーレートをメインチューナ部から取得することができ、これらの値が閾値よりも低下した場合には、停止状態のサブチューナ部１９を再び動作させて、全周波数をスキャンさせて、受信可能なチャンネルリストを更新することが可能である。したがって、省電力モードによって消費電力を抑えることが出来るだけでなく、省電力モード時に受信可能なチャンネルが変化した状況にも対応することが可能となる。
【図面の簡単な説明】
【００３５】
【図１】地上波デジタル放送受信機の概略構成図。
【図２】閾値以上の受信強度であるチャンネルのリスト
【図３】第１実施形態に係るチャンネルスキャンに関するフローチャート。
【図４】第２実施形態に係る省電力モード時のチャンネルスキャンに関するフローチャート。
【符号の説明】
【００３６】
１    地上デジタル放送受信機  
２    アンテナ  
３    アンプ
４    フィルタ
５    混合器
６    ＰＬＬ
７    アンプ
８    フィルタ
９    混合器
１０  ＰＬＬ
１１  アンプ
１２  レベル検波部
１３  制御部
１４  復調ＩＣ
１５  ＭＰＥＧデコーダ
１６  D／Aコンバータ  
１７  操作部
１８  メインチューナ部
１９  サブチューナ部
２０  信号処理部
【図１】
2006013945.tif 000003
【図２】
2006013945.tif 000004
【図３】
2006013945.tif 000005
【図４】
2006013945.tif 000006